(57)【要約】 【課題】照射野の調整が精度良く行なえる発光部を備えた撮影装置を提供する。【解決手段】ズームスイッチがＷＩＤＥ側に操作されたら、発光管およびリフレクタを前方に移動させ、さらに２枚の反射側板１１２ａ，１１２ｂをプロテクタ両端側のフレネルレンズ１０２１ａ，１０２１ｂを覆い隠すように配置し、発光管１１０から側方に発光された光を２枚の反射側板１１２ａ，１１２ｂに反射させてプロテクタ中央側に導くようにしてＷＩＤＥの撮影画角にあう照射野を形成する。ズームスイッチがＴＥＬＥ側に操作されたら２枚の反射側板をプロテクタ両端側のフレネルレンズを露出させるように傾かせると同時に発光管およびリフレクタを後退させて発光管から側方に発光された光をすべてフレネルレンズに導くようにしてＴＥＬＥの撮影画角にあう照射野を形成する。【選択図】図５
2007047747.tif 000002
【特許請求の範囲】
【請求項１】
焦点距離可変な撮影レンズを備え該撮影レンズで被写体を捉えることにより撮影を行なう撮影装置において、
撮影に同期して被写体に向けてフラッシュ光を発光する発光部を備え、
前記発光部が、
棒状の発光管と、
前記発光管後方を周回方向に取り巻いて該発光管から後方に発したフラッシュ光を前方に反射させるリフレクタと、
前記リフレクタの両側それぞれに配設され前記発光管からのフラッシュ光を反射する２枚の反射側板と、
前記発光管両端に対応する位置に透過フラッシュ光を内向きに集光させるフレネルレンズが形成され、該発光管前面を覆うとともに該発光管からのフラッシュ光を被写体側に透過させるプロテクタと、
前記撮影レンズの焦点距離に応じて前記発光管および前記リフレクタを前記プロテクタに対し相対的に前後方向に移動させると同時に前記２枚の反射側板の傾きを調整する照射野調整部とを備えたことを特徴とする撮影装置。
【請求項２】
前記照射野調整部は、前記撮影レンズの焦点距離が長焦点側にあるほど、前記発光管および前記リフレクタを前記プロテクタに対し相対的により後方に遠ざけるとともに前記２枚の反射側板の傾きを、該２枚の反射側板が前記プロテクタに対しより平行となる方向に調整するものであることを特徴とする請求項１記載の撮影装置。
【請求項３】
前記プロテクタは、前記照射野調整部が前記発光管および前記リフレクタを前記プロテクタに対し相対的により後方に遠ざけるとともに前記２枚の反射側板の傾きを該２枚の反射側板が前記プロテクタに対しより平行となる方向に調整しているときの、前記２枚の反射側板それぞれの先端が描く軌跡に沿ってフレネルレンズが形成されたものであることを特徴とする請求項２記載の撮影装置。
【請求項４】
前記反射側板よりも側方に進行した光を前記プロテクタに向けて反射する反射板を備えたことを特徴とする請求項２記載の撮影装置。
【発明の詳細な説明】
【技術分野】
【０００１】
本発明は、撮像素子を備え、その撮像素子上に被写体像を形成して画像信号を生成する撮影装置に関する。
【背景技術】
【０００２】
撮影装置には撮影に同期して被写体に向けてフラッシュ光を発光する発光部を備えたものが多い。このような撮影装置にあってはその発光部から照射されるフラッシュ光の照射野を短焦点（広角）側にあわせるようにしておくと、ズームスイッチが長焦点（望遠）側に操作されたときには撮影画角外に向けて多くの光が照射されてしまって必要以上の電力が消費されてしまうため、ズームスイッチの操作に連動してフラッシュ光の照射野を変更することができるようにしているものが多い（例えば特許文献１参照）。この特許文献１のものでは、ズームスイッチの操作に応じて発光管とリフレクタとのうちの少なくとも一方を光軸方向前後に移動させることによってズームスイッチの操作位置に応じた撮影画角にあう照射野を得ようとしている。
【０００３】
しかしキセノン管などのように発光管が棒状であると発光管の側方に向けてどうしても余分な光が照射されてしまうため、電力が無駄に消費されてしまうという問題は残る。
【０００４】
そこで特許文献２のもののように棒状の発光管の側方に側方反射手段を設けてその無駄に照射されていた光を撮影画角内に照射させるようにして電力効率を上げるとともに好適な照射野を得ようとしているものもある。
【０００５】
また、フラッシュ光の発光における電力効率を考えて発光管の前方に配設されるフレネルレンズを光軸方向に前後させることで好適な照射野を得ようとするもの（特許文献３参照）や発光管の後方に配設されているリフレクタ板の形を変形させることによって好適な照射野を得ようとするもの（特許文献４参照）もある。
【０００６】
しかし特許文献１〜特許文献４のものいずれのものを用いても、今ひとつ精度が得られないという問題がある。
【特許文献１】特開昭５５−１２９３２６号公報
【特許文献２】特開平２−２９１５３８号公報
【特許文献３】特許第３２６２７７９号公報
【特許文献４】特開平６−１８０４６９号公報
【発明の開示】
【発明が解決しようとする課題】
【０００７】
本発明は、上記事情に鑑み、照射野の調整が精度良く行なえる発光部を備えた撮影装置を提供することを目的とする。
【課題を解決するための手段】
【０００８】
上記目的を達成する本発明の撮影装置は、焦点距離可変な撮影レンズを備えその撮影レンズで被写体を捉えることにより撮影を行なう撮影装置において、
撮影に同期して被写体に向けてフラッシュ光を発光する発光部を備え、
上記発光部が、
棒状の発光管と、
上記発光管後方を周回方向に取り巻いてその発光管から後方に発したフラッシュ光を前方に反射させるリフレクタと、
上記リフレクタの両側それぞれに配設され上記発光管からのフラッシュ光を反射する２枚の反射側板と、
上記発光管両端に対応する位置に透過フラッシュ光を内向きに集光させるフレネルレンズが形成され、その発光管前面を覆うとともにその発光管からのフラッシュ光を被写体側に透過させるプロテクタと、
上記撮影レンズの焦点距離に応じて上記発光管および上記リフレクタを上記プロテクタに対し相対的に前後方向に移動させると同時に上記２枚の反射側板の傾きを調整する照射野調整部とを備えたことを特徴とする。
【０００９】
上記本発明の撮影装置においては上記照射野調整部によって上記撮影レンズの焦点距離に応じて上記リフレクタおよび上記発光管と上記プロテクタとの間の距離が調整されると同時に上記２枚の反射側板の傾きが調整される。
【００１０】
そうすると、上記２枚の反射側板の傾きを上記プロテクタと垂直になる方向に調整すると同時に上記リフレクタおよび上記発光管とプロテクタとの間の距離を短くするように調整して上記フレネルレンズにフラッシュ光が入射しないようにすることで短焦点（広角）にあう照射野に精度良く調整することも、上記２枚の反射側板の傾きを上記プロテクタと平行になる方向に調整していくと同時に上記リフレクタおよび上記発光管とプロテクタとの間の距離を長くしていくことによってフレネルレンズにフラッシュ光が入射するようにしてさらにそのフレネルレンズに入射するフラッシュ光の入射角度を変えていくことで長焦点（望遠）にあう照射野に精度良く調整することもできるようになる。
【００１１】
つまり、プロテクタ（フレネルレンズ）やリフレクタや発光管を前後させるということと反射側板の傾きを調整するといういままでの技術を複数組み合わせることにより照射野の調整精度を向上させることができるという訳である。
【００１２】
上記のような焦点距離可変な撮影光学系を備えた撮影装置にあっては、その焦点距離可変な撮影光学系がレンズ鏡胴に内蔵されているものが多く、ズームスイッチの操作に応じてレンズ鏡胴が前後することにより焦点距離可変なレンズが光軸方向に前後して焦点距離が精度良く調節されるものが多い。そのズームスイッチの操作に応じて上記レンズ鏡胴が精度良く前後することを利用して上記発光管およびリフレクタを前後させることはレンズ鏡胴と発光管およびリフレクタとの間に連結機構を設けることで比較的容易に達成され、また２枚の反射側板を回動させることにより２枚の反射側板の傾きを調整することもレンズ鏡胴と２枚の反射鏡との間にカム機構を設けることで比較的容易に達成される。
【００１３】
以上説明したように簡単な構造で照射野の調整が精度良く行なえる発光部を備えた撮影装置が実現される。
【００１４】
ここで、上記照射野調整部は、上記撮影レンズの焦点距離が長焦点側にあるほど、上記リフレクタおよび上記発光管を上記プロテクタに対し相対的により後方に遠ざけるとともに上記２枚の反射側板の傾きを、その２枚の反射側板が上記プロテクタに対しより平行となる方向に調整する態様のものであることが好ましい。
【００１５】
上記のような好ましい態様であると、より長い焦点距離に応じた照射野を得るときに上記リフレクタおよび上記発光管を上記プロテクタに対し相対的により後方に遠ざける様にすれば良いことになる。
【００１６】
言い換えれば、上記態様であると、さほど長い焦点距離が必要ない場合には、上記リフレクタおよび上記発光管を上記プロテクタに対し相対的に後方に遠ざける距離を短縮させることができるので上記発光部の薄型化を図ることができるということにもなる。
【００１７】
また、フレネルレンズの配設位置や屈折率の設け方によっては、反射側板の傾きを調整するだけでもある程度のズーム倍率をカバーすることができる場合もある。そうすると、反射側板の傾きに加えてリフレクタおよび発光管をプロテクタに対し後方に移動させることによってより一層高いズーム倍率を実現させることができるということにもなる。
【００１８】
また、上記照射野調整部が上記撮影レンズの焦点距離が長焦点側にあるほど、上記リフレクタおよび上記発光管を上記プロテクタに対し相対的により後方に遠ざけるとともに上記２枚の反射側板の傾きを、その２枚の反射側板が上記プロテクタに対しより平行となる方向に調整する態様のものであると、上記２枚の反射側板が傾けば傾くほど、また上記リフレクタおよび発光管が上記プロテクタに対し相対的に後方に遠ざけられれば遠ざけられるほど、２枚の反射側板の先端部とプロテクタとの間の間隙が大きくなる。
【００１９】
そうすると上記照射野調整部によって照射野が調整されているときにその間隙から光が漏れて上記発光管から発光された光が有効に活用されなくなってしまう恐れが出てくる。
【００２０】
そこで上記プロテクタは、上記照射野調整部が上記発光管および上記リフレクタを上記プロテクタに対し相対的により後方に遠ざけるとともに上記２枚の反射側板の傾きをその２枚の反射側板が上記プロテクタに対しより平行となる方向に調整しているときの、上記２枚の反射側板それぞれの先端が描く軌跡に沿ってフレネルレンズが形成されたものであると良い。
【００２１】
そうすると、上記2枚の反射側板がどの位置に在っても上記フレネルレンズにより上記発光管から発光された光が集光され上記発光管から発光された光がほぼすべて被写体に向けて照射される様になって発光効率の向上が図られる。またフレネルレンズを形成する部分の厚みを厚くすることができるのでフレネルレンズを金型により成型するに際にフレネルレンズの切り込み部の成型が行ない易くなるという効果も得られる。
【００２２】
また、上記反射側板よりも側方に進行した光を上記プロテクタに向けて反射する反射板を備えていても良い。
【００２３】
そうすると、上記間隙部を通って側方に進行した光がその反射板により反射されプロテクタ側に導かれる様になるので上記発光管から発光された光がほぼすべて被写体に向けて照射され発光効率が向上する。
【発明の効果】
【００２４】
以上、説明したように、照射野の調整が精度良く行なえる発光部を備えた撮影装置が実現される。
【発明を実施するための最良の形態】
【００２５】
以下、本発明の実施の形態について説明する。
【００２６】
図１は、本発明の撮影装置の一実施形態であるデジタルカメラの外観を示す図である。
【００２７】
図１（ａ）にはデジタルカメラの正面側を前方斜め上方から見た斜視図が示されており、図１（ｂ）にはデジタルカメラの背面側を後方斜め上方から見た斜視図が示されている。
【００２８】
図１（ａ），図１（ｂ）に示すデジタルカメラ１は、焦点距離可変な撮影レンズを備えその撮影レンズで被写体を捉えることにより撮影を行なうものである。
【００２９】
図１（ａ）に示すようにカメラボディ１ａの正面中央には沈胴・繰出自在なレンズ鏡胴１００が備えられており、そのレンズ鏡胴１００内に焦点距離可変な撮影レンズが内蔵されている。図１には電源スイッチが投入されて撮影準備が整えられレンズ鏡胴が繰出された後の状態が示されている。
【００３０】
またそのレンズ鏡胴１００の上方にはファインダ１０１が設けられており、そのファインダ１０１の横にフラッシュ光発光窓１０２が備えられている。その発光窓１０２には長手方向両端にフレネルレンズが形成されているプロテクタ１０２１が嵌め込まれている。このフラッシュ光発光窓１０２からは、レリーズ釦１０３の操作による撮影に同期して内部の発光部から被写体に向けて所望の照射野のフラッシュ光が発光されるようになっている。
【００３１】
また図１（ｂ）に示すカメラボディ１ａの背面側には表示パネル１０４が設けられており、その表示パネル１０４上にはレンズ鏡胴１００内の撮影レンズで捉えている被写体が常に表示されるようになっている。その表示パネル１０４の横にはズームスイッチ１０５やメニュースイッチ１０６等が設けられている。このズームスイッチ１０５の操作に応じて望遠（ＴＥＬＥ）から広角（ＷＩＤＥ）までのズーミングが行なわれる。
【００３２】
このデジタルカメラ１の内部には、ズームスイッチ１０４の操作に応じた撮影画角に向けて上記発光窓１０２からフラッシュ光の照射が自在に行なえるように照射野を自在に調整することができる発光部が配備されている。
【００３３】
図２は、その発光部が収納されている収納ケース１０の外観を示す図である。
【００３４】
図２に示す収納ケース１０の下面にはプロテクタ１０２１側を前方として前方から後方に向けて所定の長さを持つ貫通孔１０２２ａが設けられている。その貫通穴１０２２ａには収納ケース１０内部のフォルダ（後述する）から延びるようにして設けられている係合部材１１３が係合されている。この係合部材１１３が、例えばカメラボディ１ａのレンズ鏡胴側の動きに連動して動く連結部材（不図示）に連結されると、レンズ鏡胴１００の動きに応じて収納ケース１０内のフォルダが前後するようになる。
【００３５】
ここで収納ケース１０およびこの収納ケース１０外に配設されている各部材の構成を、図２を参照して説明しておく。
【００３６】
図２に示す収納ケース１０は、図１にも示したプロテクタ１０２１と基台部１０２２と蓋部１０２３とからなり、基台部１０２２に蓋部１０２３が取り付けられることにより形成される窓１０２にプロテクタ１０２１が嵌めこまれると図２に示す外観の収納ケース１０になる。
【００３７】
その収納ケース１０の下面には上記貫通穴１０２２ａを境にして左右対称にハの字状に２つの貫通穴１０２２ｂ，１０２２ｃがそれぞれ設けられている。それらの貫通穴１０２２ｂ，１０２２ｃは、後述する２枚の反射側板の傾きそれぞれを調整することができるようにプロテクタ１０２１側を正面として収納ケース１０の後方側壁側に向かって斜め方向に切り欠かれている。それらの貫通穴１０２２ｂ，１０２２ｃそれぞれに２枚の反射側板（後述する）の一端部側から下方に向けて延設されている係合部材１１２１ａ，１１２１ｂそれぞれが係合されている。それらの係合部材１１２１ａ，１１２１ｂそれぞれは、上記係合部材１１３の動きに同調して動くことができるようにリンク部材１３ａ，１３ｂにより連結されている。ここでは、２本のリンク部材１３ａ，１３ｂそれぞれの一端が収納ケース１０の後方下面に回動自在に支持され他端が係合部材１１２１ａ，１１２１ｂそれぞれの先端に係合されている例が示されている。後述するが、この２枚の反射側板それぞれの他端部側は収納ケース１０内の支軸に回動自在に支持されているので、レンズ鏡胴が前後すると各貫通穴１０２２ｂ，１０２２ｃのハの字形状に案内されるようにして上記係合部材１１２１ａ，１１２１ｂそれぞれが回動される。このようにして係合部材１１２１ａ，１１２１ｂそれぞれが回動されるときに双方の係合部材１１２１ａ，１１２１ｂの動きに差があると困るので、リンク部材１３ａ，１３ｂにより双方の係合部材１１２ａ，１１２ｂの先端が連結されている。
【００３８】
このような構成にしておくと、レンズ鏡胴１００の動きに応じて収納ケース１０内の後述するフォルダが光軸方向に前後すると同時に後述する２枚の反射側板それぞれの傾きが調整される。
【００３９】
ここで、図２に示す収納ケース１０を分解し収納ケース１０内部の構成部材を取り出して発光部の構成を詳細に説明する。
【００４０】
図３は、図２に示す収納ケース１０内の発光部の構成を説明するための分解図である。
【００４１】
図３の中央に前述したフォルダ１１が示されている。このフォルダ１１はプロテクタ１０２１と対向する側に開口が設けられており、その開口からプロテクタ１０２１に向かってフラッシュ光が発光されるようになっている。その開口を前方としてフォルダ１１の奥の方に棒状の発光管１１０と、その発光管１１０後方を周回方向に取り巻いてその発光管１１０から後方に発したフラッシュ光を前方に反射させるリフレクタ１１１とが収容されている。さらに、そのリフレクタ１１１の両側それぞれに配設され発光管１１０からのフラッシュ光を反射する２枚の反射側板１１２ａ，１１２ｂそれぞれがフォルダ１１の開口から前方に突出するようにして配設されている。この２枚の反射側板１１２ａ，１１２それぞれはフォルダ１１の奥側端部が支軸に回動自在に支持されているので開口から突出する様にして配設されている側の端部それぞれがその支軸を中心に回動自在になる。その回動自在になっている端部それぞれに図２に示した係合部材１１２１ａ，１１２１ｂが係着され係着された係合部材の先端部それぞれが上記ハの字状の貫通穴それぞれに係合される。さらにそれらの貫通穴１０２２ｂ，１０２２ｃ（図２参照）に係合された係合部材１１２１ａ，１１２１ｂそれぞれが、レンズ鏡胴の前後に同調して動くように双方の係合部材１１２１ａ，１１２１ｂの先端部それぞれが収納ケース下面側でリンク部材１３ａ，１３ｂにより連結されると図２に示す外観の収納ケースになる。
【００４２】
したがってもしも図２に示した収納ケース１０下面から突出している係合部材１１３がレンズ鏡胴側から延設されている連結部材に連結されたとすると、レンズ鏡胴の前後の動きに応じてフォルダ１１が前後し、さらにそのフォルダ１１が前後すると同時に２枚の反射側板１１２ａ，１１２ｂの傾きが精度良く調整されるようになる。
【００４３】
すなわち本実施形態においては、上記レンズ鏡胴１００と上記フォルダ１１とそのフォルダとレンズ鏡胴とを連結する係合部材１１３とその係合部材１１３が係合される上記貫通穴１０２２ａと各反射側板１１２ａ，１１２ｂそれぞれの端部に設けられた各係合部材１１２１ａ，１１２１ｂとその各係合部材が係合される貫通穴１０２２ｂ，１０２２ｃと各反射側板１１２ａ，１１２ｂの他端部を各々回動自在に軸支している各支軸部分とリンク部材１３ａ，１３ｂとが本発明にいう照射野調整部に該当することになる。
【００４４】
なお、図３にはフォルダ１１が安定して前後するように、フォルダ１１下部に２本のガイド１１４１，１１４２が設けられ、さらにそれらの２本のガイド１１４１，１１４２が係合するガイド溝が基台１０２２に設けられた例が示されている。これらの２つのガイド溝１０２２ｄ，１０２２ｅにそれぞれフォルダのガイドを係合させると、フォルダ１１を安定した姿勢のまま前後させるようにしている。
【００４５】
ここで作用を説明する。
【００４６】
図４は、フォルダ内に収容されている発光管１１０とその発光管１１０を取り巻くようにして設けられているリフレタク１１１と、発光管１１０およびリフレクタ１１１の前面を覆うようにして配設されているプロテクタ１０２１と各反射側板１１２ａ，１１２ｂの位置関係を説明する図である。図５は、図４に示す状態を下方から見た図である。
【００４７】
図４（ａ）、図５（ａ）にはズームスイッチがＷＩＤＥ側つまり短焦点側いっぱいに操作されたときの発光管１１０およびリフレクタ１１１とプロテクタ１０２１と各反射側板１１２ａ，１１２ｂの位置関係が示されており、図４（ｂ）、図５（ｂ）には図４（ａ），図５（ａ）に示す状態にあるときにズームスイッチがＴＥＬＥ側つまり長焦点側に操作された場合に発光管１１０およびリフレクタ１１１とプロテクタ１０２１と各反射側板１１２ａ，１１２ｂの位置関係がどのように変化するかが示されている。
【００４８】
図４（ａ）、図５（ａ）に示すようにＷＩＤＥ側の場合には、プロテクタ１０２１両端側それぞれに形成されているフレネルレンズ１０２１ａ，１０２１ｂに発光管１１０およびリフレクタ１１１からのフラッシュ光を入射させないようにするため、２枚の反射側板１１２１ａ，１１２１ｂそれぞれがプロテクタ１０２１の両端側に形成されているフレネルレンズ１０２１ａ，１０２１ｂを覆い隠す位置に存在している。この状態にあるときにズームスイッチがＴＥＬＥ側に操作されていくと、図４（ｂ）、図５（ｂ）に示すように発光管１１０およびリフレクタ１１１がプロテクタ１０２１から遠ざかるように後退すると同時に各反射側板１１２ａ，１１２ｂの傾きが調整される。
【００４９】
このようにしておくと、上記２枚の反射側板１１２ａ，１１２ｂの傾きを上記プロテクタと垂直になる方向に調整すると同時に上記発光管１１０および上記リフレクタ１１１をプロテクタ１０２１に対し近づけていくことにより上記フレネルレンズ１０２１ａ，１０２１ｂにフラッシュ光が入射しないようにすることで短焦点（広角）にあうように照射野を精度良く調整することも、上記２枚の反射側板の傾きを上記プロテクタと平行になる方向に調整していくと同時に上記リフレクタ１１１および上記発光管１１０をプロテクタ１０２１から遠ざけていくことによってフレネルレンズ１０２１ａ，１０２１ｂにフラッシュ光が入射するようにし、さらにフレネルレンズ１０２１ａ，１０２１それぞれに入射するフラッシュ光の入射角度を変えていくことで長焦点（望遠）にあうように照射野を精度良く調整することもできるようになる。
【００５０】
この実施形態では、上記レンズ鏡胴を前後させる機能が高精度であることを利用してそのレンズ鏡胴の動きを各反射側板の傾きの調整精度に反映させるようにして高精度の照射野の調整を実現させている。
【００５１】
すなわち、照射野の調整が精度良く行なえる発光部を備えた撮影装置が実現される。
【００５２】
ところで、２枚の反射側板１１２ａ，１１２ｂをプロテクタ１０２１に対し平行となる方向に調整するとともに発光管１１０およびリフレクタ１１１をプロテクタ１０２１から遠ざけていくと、２枚の反射側板１１２ａ，１１２ｂの先端部それぞれとプロテクタ１０２１との間の間隙が拡大する。この間隙が大きくなると、発光管１１０から発光され側方に進行した光がその間隙から漏れることによりプロテクタ側に向けて集光されなくなるため、被写体に向けて照射されるはずの発光光量にロスが生じて発光光率が低下してしまう。こうして発光光率が低下してしまうと、到達距離が短くなってしまう。そこでその間隙から光が漏れることを阻止する構成にしておくことが望まれる。
【００５３】
図６は、その構成の一例を示す図である。
【００５４】
図６（ａ）には、間隙Ｐから光が漏れることを阻止する構成に改良する前の、２枚の反射側板をプロテクタ１０２１に対し平行となる方向に調整し切った状態を上方から見た図が示されている。また図６（ｂ）には、図６（ａ）に示す間隙Ｐから光が漏れることを阻止する構成に改良した後の、２枚の反射側板１１２ａ，１１２ｂをプロテクタ１０２１に対し平行となる方向に調整し切った状態を上方から見た図が示されている。
【００５５】
図６（ａ）に示す様に、２枚の反射側板１１２ａ，１１２ｂを平行となる方向に調整し切るとどうしても間隙Ｐが拡大してしまう。この間隙Ｐは2枚の反射側板１１２ａ，１１２ｂがプロテクタ１０２１に対し平行となる方向に調整されればされるほど大きくなって図６（ａ）に示す位置で最大になる。そこで、図６（ｂ）に示す様に、本発明にいう傾き調整部が２枚の反射側板１１２ａ，１１２ｂの傾きを、プロテクタ１０２１に対しその２枚の反射側板１１２ａ，１１２ｂがプロテクタに対しより平行となる方向に調整しているときの、２枚の反射側板それぞれの先端が描く軌跡に沿ってフレネルレンズ１０２１ａ´、１０２１ｂ´を形成することによって、側方に進行した光が漏れることを阻止するとともに積極的に活用する構成に改良している。
【００５６】
図６（ｂ）に示す構成にすると、２枚の反射側板１１２ａ，１１２ｂがどの位置にあっても発光管１１０から発光された光がフレネルレンズ１０２１ａ，１０２１ｂによりほぼすべて被写体側に導かれる様になって発光管１１０から発光された光がロスなくすべてフラッシュ光として用いられる様になるので、発光効率が向上してより遠くまで撮影補助光を到達させることができる。また、図６（ｂ）に示す様にプロテクタ１０２１の端部側つまりフレネルレンズを形成する部分の厚みを厚くすることができると、フレネルレンズ１０２１ａ´、１０２１ｂ´を金型により成型する際にフレネルレンズ１０２１ａ´、１０２１ｂ´の切り込み部の成型が行ない易くなる効果も得られる。
【００５７】
図７は、光が漏れることを阻止するとともに積極的に活用する構成の別例を説明する図である。
【００５８】
図７（ａ）は図７（ａ）と同じ図が示されており、図７（ｂ）には、図６（ｂ）に示す様にフレネルレンズの形状に工夫を凝らす代わりに、側方に進行した光をプロテクタ１０２１に向けて反射する反射板１４ａ、１４ｂを付加した場合の例が示されている。
【００５９】
このような構成にしても、側方に進行した光が反射板１４ａ，１４ｂで反射してプロテクタ１０２１側に導かれる様になって発光効率が向上するという効果が得られる。
【００６０】
また図８、図９は、図７に示す反射板１４ａ，１４ｂの長さを長くして反射板をブラインドとしても活用した場合の変形例を説明する図である。
【００６１】
図８に示す様に発光管１１０の端部に至るところまで反射板１５ａ，１５ｂの長さを延ばすと、図９（ａ）に示す様にフレネルレンズ部を通して正面から見えていた発光管の端部Ｖが図９（ｂ）に示す様に反射板１５ａ，１５ｂそれぞれがブラインドになって見えなくなるので外観が整えられるという効果が得られる。
【図面の簡単な説明】
【００６２】
【図１】本発明の撮影装置の一実施形態であるデジタルカメラの外観を示す図である。
【図２】発光部が収納されている収納ケース１０の外観を示す図である。
【図３】図２に示す収納ケース１０内の発光部の構成を説明するための分解図である。
【図４】フォルダ１１内に収容されている発光管１１０とその発光管１１０を取り巻くようにして設けられているリフレタク１１１と、発光管１１０およびリフレクタ１１１の前面を覆うようにして配設されているプロテクタ１０２１と各反射側板１１２ａ，１１２ｂの位置関係を説明する図である。
【図５】図４（ａ）、図４（ｂ）に示す状態をそれぞれ下方から見た図である。
【図６】２枚の反射側板の先端とプロテクタとの間に生じる間隙Ｐからの光の漏れによる発光光量のロスの増加を阻止する構成の一例を示す図である。
【図７】２枚の反射側板の先端とプロテクタとの間に生じる間隙Ｐからの光の漏れによる発光光量のロスの増加を阻止する構成の別例を示す図である。
【図８】図７の構成の更なる変形例を示す図である。
【図９】図８の構成にしたときの作用を説明する図である。
【符号の説明】
【００６３】
１    デジタルカメラ
１００    レンズ鏡胴
１０１    ファインダ
１０２    発光窓
１０３    レリーズボタン
１０４    表示パネル
１０５    ズームスイッチ
１０    収納ケース
１０２１    プロテクタ
１０２１ａ  １０２１ｂ  １０２１ａ´  １０２１ｂ´  フレネルレンズ
１０２２    基台
１０２２ａ〜１０２２ｃ    貫通孔
１０２２ｄ  １０２２ｅ    ガイド溝
１０２３    蓋部
１１    フォルダ
１１０    発光管
１１１    リフレクタ
１１２ａ  １１２ｂ    反射側板
１１２１ａ    １１２１ｂ    係合部材
１１３      係合部材
１１４１  １１４２    ガイド
１３ａ  １３ｂ    リンク部材
１４ａ  １４ｂ  １５ａ  １５ｂ  反射板
【図１】
2007047747.tif 000003
【図２】
2007047747.tif 000004
【図３】
2007047747.tif 000005
【図４】
2007047747.tif 000006
【図５】
2007047747.tif 000007
【図６】
2007047747.tif 000008
【図７】
2007047747.tif 000009
【図８】
2007047747.tif 000010
【図９】
2007047747.tif 000011